(57)【要約】【目的】挿入部から手を離さずに送気と吸引をコントロール可能で操作性に優れる内視鏡の送気吸引操作機構を得る。また、吸引時に観察対象を引き込んで観察不能となるおそれの少ない内視鏡の送気吸引操作機構を得る。【構成】観察対象内に挿入される挿入部と把持操作用のグリップ部とを有し、外部の吸引源と送気源によって、挿入部の先端に設けた吸引用開口と送気用開口からそれぞれ吸引と送気を行う内視鏡において、グリップ部に、吸引源と吸引用開口の間の連通と遮断の切り換えと、送気源と送気用開口の間の連通と遮断の切り換えの両方を行う送気吸引両用操作部材を設ける。．【選択図】　　図４
2004024561.tif 000002
【特許請求の範囲】
【請求項１】
観察対象内に挿入される挿入部と把持操作用のグリップ部とを有し、外部の吸引源と送気源によって、挿入部の先端に設けた吸引用開口と送気用開口からそれぞれ吸引と送気を行う内視鏡において、
上記グリップ部に、吸引源と吸引用開口の間の連通と遮断の切り換えと、送気源と送気用開口の間の連通と遮断の切り換えの両方を行う送気吸引両用操作部材を設けたことを特徴とする内視鏡の送気吸引操作機構。
【請求項２】
請求項１記載の内視鏡の送気吸引操作機構において、上記送気吸引両用操作部材は、
グリップ部に支持したガイドシリンダと、該ガイドシリンダに挿入された押圧可能なピストン；
ガイドシリンダ内に形成した、上記送気源と送気用開口とにそれぞれ連通する送気源連通空間と送気用開口連通空間、及び上記吸引源と吸引用開口とにそれぞれ連通する吸引源連通空間と吸引用開口連通空間；
ピストン内に形成した、該ピストンの押圧、非押圧状態に関わらず、ピストンの外面に形成した送気リーク開口を通して上記送気源連通空間を外気と連通させる送気リーク用連通路；
この送気リーク用連通路と送気用開口連通空間の間に設けられ、送気リーク開口の開放状態では送気リーク用連通路に対して送気用開口連通空間を閉じ、送気リーク開口の閉鎖状態では、送気源から送出される空気によって送気リーク用連通路に対して送気用開口連通空間を開く弁部材；
ピストンの非押圧状態でシリンダの内周面に密着して吸引源連通空間と吸引用開口連通空間を遮断し、ピストンの押圧によってシリンダの内周面から離れて吸引源連通空間と吸引用開口連通空間を連通させる、該ピストンの外周に設けた環状の移動シール部材；及び
ピストンの非押圧状態で吸引源連通空間を外気と連通させる外気吸入用連通路；
を備え、ピストンの送気リーク開口を塞ぐことにより送気を行い、該ピストンを押圧することにより吸引を行う内視鏡の送気吸引操作機構。
【請求項３】
請求項２記載の内視鏡の送気吸引操作機構において、ピストンは、中央部が高い円形ドーム状の押圧面を有し、送気リーク開口はこの押圧面の中央に形成されている内視鏡の送気吸引操作機構。
【請求項４】
請求項１ないし３のいずれか１項記載の内視鏡の送気吸引操作機構において、ピストンをガイドシリンダからの突出方向に付勢する付勢手段を有する内視鏡の送気吸引操作機構。
【請求項５】
請求項１ないし４のいずれか１項記載の内視鏡の送気吸引操作機構において、挿入部の先端に吸引用開口と送気用開口を囲むフードを備えている内視鏡に用いられる送気吸引操作機構。
【請求項６】
挿入部の先端に吸引用開口と送気用開口を備え、該吸引用開口から吸引を行う吸引機構と、送気用開口へ送気を行う送気機構とを有する内視鏡において、
吸引機構により吸引を行うとき、送気機構による送気を同時に行わせる送気吸引両用操作部材を有することを特徴とする内視鏡の送気吸引操作機構。
【請求項７】
請求項６記載の内視鏡の送気吸引操作機構において、上記送気吸引操作部材は、
ガイドシリンダと、該ガイドシリンダに挿入された押圧可能なピストン；
ガイドシリンダ内に形成した、上記送気機構を構成する送気源と送気用開口とにそれぞれ連通する送気源連通空間と送気用開口連通空間、及び上記吸引機構を構成する吸引源と吸引用開口とにそれぞれ連通する吸引源連通空間と吸引用開口連通空間；
ピストン内に形成した、該ピストンの押圧、非押圧状態に関わらず、ピストンの押圧面に形成した送気リーク開口を通して上記送気源連通空間を外気と連通させる送気リーク用連通路；
この送気リーク用連通路と送気用開口連通空間の間に設けられ、送気リーク開口の開放状態では送気リーク用連通路に対して送気用開口連通空間を閉じ、送気リーク開口の閉鎖状態では、送気源から送出される空気によって送気リーク用連通路に対して送気用開口連通空間を開く弁部材；
ピストンの非押圧状態でシリンダの内周面に密着して吸引源連通空間と吸引用開口連通空間を遮断し、ピストンの押圧によってシリンダの内周面から離れて吸引源連通空間と吸引用開口連通空間を連通させる、該ピストンの外周に設けた環状の移動シール部材；及び
ピストンの非押圧状態で吸引源連通空間を外気と連通させる外気吸入用連通路；
を備え、ピストンの送気リーク開口を塞ぎながら該ピストンを押圧することにより、送気と吸引を同時に行わせる内視鏡の送気吸引操作機構。
【請求項８】
請求項７記載の内視鏡の送気吸引操作機構において、ピストンは、中央部が高い円形ドーム状の押圧面を有し、送気リーク開口はこの押圧面の中央に形成されている内視鏡の送気吸引操作機構。
【請求項９】
請求項６ないし８のいずれか１項記載の内視鏡の送気吸引操作機構において、ピストンをガイドシリンダからの突出方向に付勢する付勢手段を有する内視鏡の送気吸引操作機構。
【請求項１０】
請求項６ないし９のいずれか１項記載の内視鏡の送気吸引操作機構において、挿入部の先端に吸引用開口と送気用開口を囲むフードを備えている内視鏡に用いられる送気吸引操作機構。
【請求項１１】
請求項６ないし１０のいずれか１項記載の内視鏡の送気吸引操作機構において、上記送気吸引両用操作部材は、挿入部の基端が接続する把持操作用のグリップ部に設けられている内視鏡の送気吸引操作機構。
【発明の詳細な説明】
【０００１】
【技術分野】
本発明は、内視鏡の送気及び吸引用の操作機構に関する。
【０００２】
【従来技術及びその問題点】
医療用内視鏡において、対象臓器を適当な大きさに膨らませて処置や観察を行いやすくするなどの目的のため、挿入部先端に送気する送気機構を備えたものがある。送気機構では、把持操作用の操作部（グリップ部）と挿入部との間の連結部に設けた送気用チャンネルの入口部に対して、送気源から延出された送気チューブを接続し、この送気チューブに設けた三方活栓などの操作部材を操作して送気状態を切り換えるタイプが知られている。ところが、内視鏡の使用時には一般に、片手で操作部を把持し、他方の手は挿入部に添えられているため、上記構造の送気装置では、送気状態を切り換えるためには挿入部から手を離す必要がある。挿入部から手を離すと観察及び処置対象に対する挿入部先端の位置がずれてしまい、再度、挿入部を位置決めする手間がかかって煩雑である。
【０００３】
また、送気とは逆に、体液や汚物などを吸引する吸引機構を備えた内視鏡も周知であるが、特に挿入部先端にフードを有する場合、このフード内に生体粘膜を吸引してしまうと観察不能なってしまうおそれがある。
【０００４】
【発明の目的】
本発明は、挿入部から手を離さずに送気や吸引コントロールが可能で操作性に優れる内視鏡の送気吸引操作機構を提供することを目的とする。本発明はまた、吸引時に観察対象を引き込んで観察不能となるおそれの少ない内視鏡の送気吸引操作機構を提供することを目的とする。
【０００５】
【発明の概要】
本発明は、観察対象内に挿入される挿入部と把持操作用のグリップ部とを有し、外部の吸引源と送気源によって、挿入部の先端に設けた吸引用開口と送気用開口からそれぞれ吸引と送気を行う内視鏡において、グリップ部に、吸引源と吸引用開口の間の連通と遮断の切り換えと、送気源と送気用開口の間の連通と遮断の切り換えの両方を行う送気吸引両用操作部材を設けたことを特徴としている。
【０００６】
本発明はまた、挿入部の先端に吸引用開口と送気用開口を備え、該吸引用開口から吸引を行う吸引機構と、送気用開口へ送気を行う送気機構とを有する内視鏡において、吸引機構により吸引を行うとき、送気機構による送気を同時に行わせる送気吸引両用操作部材を有することを特徴としている。
【０００７】
以上の各態様の送気吸引操作機構では、送気吸引両用操作部材が、ガイドシリンダと、該ガイドシリンダに挿入された押圧可能なピストン；ガイドシリンダ内に形成した、送気機構を構成する送気源と送気用開口とにそれぞれ連通する送気源連通空間と送気用開口連通空間、及び吸引機構を構成する吸引源と吸引用開口とにそれぞれ連通する吸引源連通空間と吸引用開口連通空間；ピストン内に形成した、該ピストンの押圧、非押圧状態に関わらず、ピストンの外面（押圧面）に形成した送気リーク開口を通して送気源連通空間を外気と連通させる送気リーク用連通路；この送気リーク用連通路と送気用開口連通空間の間に設けられ、送気リーク開口の開放状態では送気リーク用連通路に対して送気用開口連通空間を閉じ、送気リーク開口の閉鎖状態では、送気源から送出される空気によって送気リーク用連通路に対して送気用開口連通空間を開く弁部材；ピストンの非押圧状態でシリンダの内周面に密着して吸引源連通空間と吸引用開口連通空間を遮断し、ピストンの押圧によってシリンダの内周面から離れて吸引源連通空間と吸引用開口連通空間を連通させる、該ピストンの外周に設けた環状の移動シール部材；及び、ピストンの非押圧状態で吸引源連通空間を外気と連通させる外気吸入用連通路；を備えるとよい。該構造の送気吸引両用操作部材によれば、ピストンの送気リーク開口を塞ぐことにより送気を行い、ピストンを押圧することにより吸引を行うことができる。また、ピストンの送気リーク開口を塞ぎながらピストンを押圧することにより、送気と吸引を同時に行わせることができる。
【０００８】
ピストンは、中央部が高い円形ドーム状の押圧面を有し、この押圧面の中央に送気リーク開口が形成されていると、吸引用のピストン押圧操作時に自然に送気リーク開口を塞いで送気を行いやすい。また、ピストンをガイドシリンダからの突出方向に付勢する付勢手段を備えることが好ましい。
【０００９】
本発明の送気吸引操作機構は、特に挿入部の先端に吸引用開口と送気用開口を囲むフードを備えているタイプの内視鏡に好適である。
【００１０】
【発明の実施の形態】
図１は、本発明を適用した内視鏡の外観を示している。内視鏡１０は、柔軟な挿入部１１とその基部に接続された操作部（グリップ部）１２を有しており、挿入部１１の先端付近は、操作部１２に設けた湾曲操作レバー１９の回動操作に応じて湾曲状態を変化させることが可能な湾曲部１１ａとなっている。操作部１２からは先端にコネクタ部１４を有するユニバーサルチューブ１３が延出され、該コネクタ部１４は、図示しない外部プロセッサに着脱可能となっている。
【００１１】
図２に示すように、挿入部１１の先端部端面には、対物窓１５、２つの照明窓１６、鉗子チャンネル出口部（吸引用開口）１７、及び送気チャンネル出口部（送気用開口）１８が配置されている。対物窓１５を含む対物光学系よる観察対象の像は、挿入部先端内に設けた撮像素子（ＣＣＤ）によって画像信号に変換され、挿入部１１からユニバーサルチューブ１３のコネクタ部１４まで配設された画像信号伝送ケーブルによってプロセッサに送られる。プロセッサでは、電子画像をモニタに表示したり、光磁気ディスク等の記録媒体に記録することができる。プロセッサはさらに光源を有しており、コネクタ部１４から挿入部１１まで配設されたライトガイドファイババンドルを介して、照明窓１６へ照明光が送られる。
【００１２】
図３に示すように、挿入部１１の先端には、筒状のフード２０が設けられている。フード２０は、観察対象と対物窓１５の適正距離を確保するためのものであり、鉗子チャンネル出口部１７や送気チャンネル出口部１８が形成された先端部硬性部材２１に対して螺着されている。
【００１３】
図４は、内視鏡１０における吸引機構及び送気機構の概略を示している。まず、吸引機構を説明する。挿入部１１と操作部１２を接続する連結部２９には、鉗子チャンネル２３を介して前述の鉗子チャンネル出口部１７に通じる鉗子チャンネル入口部２２が設けられている。図３に示すように、鉗子チャンネル２３の先端部は、先端部硬性部材２１と結合して鉗子チャンネル出口部１７に連通している。鉗子チャンネル２３の途中には、吸引チャンネル２４の一端部が接続し、この吸引チャンネル２４の他端部は、操作部１２から突出する管状の吸引チューブ接続部２５に通じている。吸引チューブ接続部２５には、吸引源Ｖから延出された吸引チューブ２６Ｖが接続する。吸引チャンネル２４の途中には送気吸引ボタン（送気吸引両用操作部材）３０のガイドシリンダ３１が設けられており、吸引チャンネル２４は、このガイドシリンダ３１を挟んで、鉗子チャンネル２３側の第１吸引チャンネル部２４ａと、吸引チューブ接続部２５側の第２吸引チャンネル部２４ｂとに分けられる。よって、吸引チャンネル２４（第１と第２の吸引チャンネル部２４ａ、２４ｂと、その間のガイドシリンダ３１）と、鉗子チャンネル２３とを通じて、鉗子チャンネル出口部１７に吸引源Ｖの吸引力を作用させることができる。鉗子チャンネル２３には鉗子チャンネル入口部２２から鉗子などの各種処置具を挿入可能であり、鉗子チャンネル２３は、吸引用と処置具挿入用の管路として併用される。
【００１４】
一方、送気機構では、操作部１２の末端部に送気源Ｐから延出された送気チューブ２６Ｐが接続する送気チャンネル入口部２７が設けられており、この送気チャンネル入口部２７と前述の送気チャンネル出口部１８とが、送気チャンネル２８によって接続されている。図３に示すように、送気チャンネル２８の一端部は、先端部硬性部材２１に結合して送気チャンネル出口部１８と連通している。吸引チャンネル２４と同様に、送気チャンネル２８は、送気吸引ボタン３０のガイドシリンダ３１を挟んで、送気チャンネル出口部１８側の第１送気チャンネル部２８ａと、送気チャンネル入口部２７側の第２送気チャンネル部２８ｂとに分けられる。
【００１５】
図５は、送気吸引ボタン３０の構造を示している。操作部１２の外観を構成する合成樹脂製のハウジング３２には貫通穴３３が形成されている。貫通穴３３のうち操作部１２の内部側には、外部側よりも開口径を小さくした挿入規制リブ３４が形成されている。貫通穴３３にはガイドシリンダ３１を着脱可能である。ガイドシリンダ３１は操作部１２の内側から貫通穴３３に挿入され、外周面に形成した段部３１ａが挿入規制リブ３４に係合することによって挿入が規制される。この挿入規制状態においてガイドシリンダ３１の先端部外周面に形成したねじ部３５に抜止環３６を螺合させると、該抜止環３６と段部３１ａとが挿入規制リブ３４を挟持して、ハウジング３２に対してガイドシリンダ３１が固定される。ねじ部３５にはさらに、ハウジング３２の外面側に支持されるピストン支持リング３７が螺着され、該ピストン支持リング３７の内径開口部３７ａにはピストン３８が軸線方向に進退可能に支持されている。ピストン３８は、ピストン支持リング３７からの突出部外周面にねじ部３９を有し、このねじ部３９にボタンヘッド４０が螺着されている。ピストン３８とボタンヘッド４０の結合体は、ボタンヘッド４０とピストン支持リング３７との間に設けたピストン付勢ばね４１により、ピストン支持リング３７から外方へ突出する方向へ向けて付勢されている。ハウジング３２（挿入規制リブ３４）とガイドシリンダ３１の間、及び抜止環３６とピストン支持リング３７の間はそれぞれＯリング４２、４３によって液密に塞がれている。
【００１６】
前述の通り、筒状をなすガイドシリンダ３１には、吸引チャンネル２４を構成する第１吸引チャンネル部２４ａ及び第２吸引チャンネル部２４ｂと、送気チャンネル２８を構成する第１送気チャンネル部２８ａ及び第２送気チャンネル部２８ｂとの計４本の管路が接続しており、ガイドシリンダ３１には、各管路とガイドシリンダ３１の内部空間を連通させる４つの連通路が形成されている。４つの連通路はガイドシリンダ３１の軸線方向にそれぞれ位置を異ならせて配置されており、ガイドシリンダ３１に対しては、ハウジング３２に近い（内視鏡外面に近い）側から、第２吸引チャンネル部２４ｂ、第１吸引チャンネル部２４ａ、第１送気チャンネル部２８ａ、第２送気チャンネル部２８ｂの順で接続している。
【００１７】
図５の左半分はピストン３８を押圧しない状態、右半分はピストン付勢ばね４１に対してピストン３８を押圧した状態を示している。ガイドシリンダ３１の最も下方には、ピストン３８の押圧状態と非押圧状態のいずれでも確保される送気源連通空間Ｓ１があり、この送気源連通空間Ｓ１は、第２送気チャンネル部２８ｂと送気チューブ２６Ｐを介して送気源Ｐと連通している。また、送気源連通空間Ｓ１の若干上方には、ガイドシリンダ３１の内周面とピストン３８の外周面の間に環状の送気用開口連通空間Ｓ２が形成されており、第１送気チャンネル部２８ａは、ピストン３８の押圧状態と非押圧状態のいずれにおいても、この送気用開口連通空間Ｓ２と連通している。すなわち、送気用開口連通空間Ｓ２は、第１送気チャンネル部２８ａを介して送気チャンネル出口部１８と連通している。ピストン３８には、送気源連通空間Ｓ１からボタンヘッド４０の外面まで、その軸線方向全体を貫通する軸方向通気孔（送気リーク用連通路）５０と、該通気孔５０と送気用開口連通空間Ｓ２を連通させる径方向通気孔５１が形成され、該径方向通気孔５１内に通気制御弁（弁部材）５２が設けられている。通気制御弁５２は、通常は径方向通気孔５１を閉じており、所定の空気圧が作用すると開いて、軸方向通気孔５０から第１送気チャンネル部２８ａへの送気を可能とさせる。
【００１８】
ガイドシリンダ３１内において、送気用開口連通空間Ｓ２のさらに上方には吸引用開口連通空間Ｓ３と吸引源連通空間Ｓ４が形成されており、吸引用開口連通空間Ｓ３に対して第１吸引チャンネル部２４ａ、吸引源連通空間Ｓ４に対して第２吸引チャンネル部２４ｂがそれぞれ連通している。すなわち、吸引用開口連通空間Ｓ３は、第１吸引チャンネル部２４ａと鉗子チャンネル２３を介して鉗子チャンネル出口部１７と連通しており、吸引源連通空間Ｓ４は、第２吸引チャンネル部２４ｂと吸引チューブ２６Ｖを介して吸引源Ｖと連通している。吸引用開口連通空間Ｓ３と吸引源連通空間Ｓ４は、ピストン３８の非押圧時（図５の左半分）には、該ピストン３８の外周面に支持されたＯリング（移動シール部材）５３がガイドシリンダ３１の内周面に密着することで相互に流体流通しないように隔てられているが、ピストン３８を押圧すると、ガイドシリンダ３１の内周面からＯリング５３が離れて、吸引用開口連通空間Ｓ３と吸引源連通空間Ｓ４が一続きの空間となる。
【００１９】
送気源連通空間Ｓ１と送気用開口連通空間Ｓ２の間、送気用開口連通空間Ｓ２と吸引用開口連通空間Ｓ３の間はそれぞれ、ピストン３８の押圧状態と非押圧状態とに関わらず、Ｏリング５４、５５によって、相互に流体流通しないように隔てられている。また、ピストン３８が押圧されていない状態では、該ピストン３８に形成した吸気孔（外気吸入用連通路）３８ａを介して、吸引源連通空間Ｓ４と外気とが連通している。この吸気孔３８ａの上方のピストン３８の外周面には、Ｏリング４４が嵌められている。
【００２０】
以上の構造の送気吸引ボタン３０は、ピストン３８を押し込んでいない図５の左半分の状態では、吸引源Ｖを作動させて第２吸引チャンネル部２４ｂ側から陰圧をかけても、吸引用開口連通空間Ｓ３と吸引源連通空間Ｓ４との間がＯリング５３で遮断されているため、第１吸引チャンネル部２４ａには陰圧が作用せず、吸引は行われない。吸引源連通空間Ｓ４は吸気孔３８ａを通して外気と通じており、第２吸引チャンネル部２４ｂには外気が流入する。
【００２１】
一方、送気源連通空間Ｓ１と第２送気チャンネル部２８ｂは常時連通しているため、送気源Ｐを作動させた状態では、該送気源Ｐからの送気は軸方向通気孔５０内に送られる。ここで、ボタンヘッド４０側に形成された軸方向通気孔５０のリーク開口５０ａが塞がれていなければ、送気は該リーク開口５０ａを通して外方に噴出され、通気制御弁５２は開かれないので、第１送気チャンネル部２８ａ側へは送気されない。そして、指などでリーク開口５０ａを塞ぐと、送気される空気圧によって通気制御弁５２が開き、送気用開口連通空間Ｓ２を通して第１送気チャンネル部２８ａに空気が流入する。つまり、送気チャンネル出口部１８から送気が行われる。
【００２２】
ボタンヘッド４０とピストン３８の結合体を図５の右半分のように押し込むと、Ｏリング５３によって遮断されていた吸引用開口連通空間Ｓ３と吸引源連通空間Ｓ４、すなわち第１吸引チャンネル部２４ａと第２吸引チャンネル部２４ｂが連通する。さらに、ピストン３８が下方に移動したことにより、Ｏリング４４がピストン支持リング３７の内径開口部３７ａに密着し、該Ｏリング４４の下方にある吸気孔３８ａが外気に対して遮断される。これにより、吸引源Ｖからの陰圧が鉗子チャンネル２３側へ作用するようになり、鉗子チャンネル出口部１７から吸引を行うことが可能となる。
【００２３】
また、この吸引操作時には、指で軸方向通気孔５０のリーク開口５０ａを塞ぎながらボタンヘッド４０を押圧するので、ピストン３８を押圧せずにリーク開口５０ａを塞ぐ場合と同様に、送気源Ｐからの送気圧の作用によって通気制御弁５２が開かれ、第１送気チャンネル部２８ａに空気が供給される。つまり、挿入部１１の先端において、吸引を行いながら同時に送気も行われる。
【００２４】
以上のように、本実施形態の吸引及び送気操作機構では、送気吸引ボタン３０の押圧、非押圧の如何を問わず、ボタンヘッド４０のリーク開口５０ａを塞ぐことによって送気が実行される。そして、同じ送気吸引ボタン３０を押圧することで吸引操作となる。送気吸引ボタン３０は、操作部１２に設けられているため、挿入部に添えた手を離すことなく送気と吸引をコントロールすることができ、操作性が良い。
【００２５】
また、吸引時操作としてボタンヘッド４０を押圧すると、通常の使用態様であれば指でリーク開口５０ａを塞ぐことになるため、吸引と同時に送気が行われる。吸引と同時に送気を行うことで、過度な吸引力によってフード２０内に生体粘膜を引き込んでしまうおそれが軽減される。なお、リーク開口５０ａを塞がないように意図してボタンヘッド４０を押圧すれば、送気は行わずに吸引のみを実行することも可能である。
【００２６】
但し、本発明は図示実施形態に限定されるものではない、例えば、実施形態の構造に加えてさらに送気チャンネル２８の第１送気チャンネル部２８ａの途中に送水用の口金を設けて、送水機能を持たせることも可能である。この場合、送水口金に栓あるいは弁機構を設けることにより、送水口金から送気が漏れることを防止することができる。
【００２７】
【発明の効果】
以上から明らかなように、本発明によれば、挿入部から手を離さずに送気と吸引をコントロールでき、操作性に優れる内視鏡の送気吸引操作機構を得ることができる。また、吸引用の操作に伴って送気も同時に行わせるように操作系を構成したため、観察対象を引き込んで観察不能となるおそれを軽減することができる。
【図面の簡単な説明】
【図１】本発明を適用した内視鏡の外観図である。
【図２】図１の矢印ＩＩ方向から見た、内視鏡の挿入部先端の正面図である。
【図３】図１の内視鏡の挿入部先端の断面図である。
【図４】図１の内視鏡における吸引及び送気用の管路構造を示す図である。
【図５】送気吸引ボタンの非押圧状態を左半部、押圧状態を右半分に示した断面図である。
【符号の説明】
１０　内視鏡
１１　挿入部
１２　操作部（グリップ部）
１７　鉗子チャンネル出口部（吸引用開口）
１８　送気チャンネル出口部（送気用開口）
２０　フード
２１　先端部硬性部材
２２　鉗子チャンネル入口部
２３　鉗子チャンネル
２４　吸引チャンネル
２４ａ　第１吸引チャンネル部
２４ｂ　第２吸引チャンネル部
２５　吸引チューブ接続部
２６Ｖ　吸引チューブ
２６Ｐ　送気チューブ
２７　送気チャンネル入口部
２８　送気チャンネル
２８ａ　第１送気チャンネル部
２８ｂ　第２送気チャンネル部
３０　送気吸引ボタン（送気吸引両用操作部材）
３１　ガイドシリンダ
３２　ハウジング
３３　貫通穴
３４　挿入規制リブ
３５　ねじ部
３６　抜止環
３７　ピストン支持リング
３８　ピストン
３８ａ　吸気孔（外気吸入用連通路）
３９　ねじ部
４０　ボタンヘッド
４１　ピストン付勢ばね
４２　４３　Ｏリング
４４　Ｏリング
５０　軸方向通気孔（送気リーク用連通路）
５０ａ　リーク開口
５１　径方向通気孔
５２　通気制御弁（弁部材）
５３　Ｏリング（移動シール部材）
５４　５５　Ｏリング
Ｓ１　送気源連通空間
Ｓ２　送気用開口連通空間
Ｓ３　吸引用開口連通空間
Ｓ４　吸引源連通空間
Ｖ　吸引源
Ｐ　送気源
【図１】
2004024561.tif 000003
【図２】
2004024561.tif 000004
【図３】
2004024561.tif 000005
【図４】
2004024561.tif 000006
【図５】
2004024561.tif 000007